(57)【要約】【課題】レーザースキャナーを用いてトンネル内を三次元的に測量してトンネルの出来形を評価し、評価結果を施工に反映するトンネル施工管理方法を提供する。【解決手段】本発明は、トンネルの対象箇所を所定長掘削する掘削工程と、掘削箇所に支保工を設置する設置工程と、掘削箇所および／または支保工にコンクリートを吹付ける補強工程と、掘削箇所および／または補強工程で施工された施工箇所の三次元形状を、三次元スキャナーを用いて測量する測量工程と、測量結果に基づいて掘削箇所および／または施工箇所の可視化された三次元情報を生成する情報生成工程と、生成された三次元情報に基づいて、掘削箇所および／または施工箇所が設計値と比較して基準を満たすか否かを確認する確認工程と、確認工程において基準を満たさないことが確認された場合、掘削箇所および／または施工箇所を修正する修正工程と、を備える、トンネル施工管理方法である。【選択図】図２
2020133118.tif 000002
【特許請求の範囲】
【請求項１】
トンネルの対象箇所を所定長掘削する掘削工程と、
前記掘削工程で掘削した掘削箇所に支保工を設置する設置工程と、
前記掘削工程で掘削した掘削箇所および／または前記支保工にコンクリートを吹付ける補強工程と、
前記掘削箇所および／または前記補強工程で施工された施工箇所の三次元形状を、三次元スキャナーを用いて測量する測量工程と、
前記測量工程により得られた測量結果に基づいて前記掘削箇所および／または前記施工箇所の可視化された三次元情報を生成する情報生成工程と、
前記情報生成工程により生成された前記三次元情報に基づいて、前記掘削箇所および／または前記施工箇所が設計値と比較して基準を満たすか否かを確認する確認工程と、
前記確認工程において基準を満たさないことが確認された場合、前記掘削箇所および／または前記施工箇所を修正する修正工程と、を備える、
トンネル施工管理方法。
【請求項２】
前記測量工程は、前記掘削工程の後、形成された切羽鏡面と前記切羽鏡面に接して形成されたトンネル掘削面との表面形状とを測量する、
請求項１に記載のトンネル施工管理方法。
【請求項３】
前記測量工程は、前記補強工程の後、前記切羽鏡面に吹付けられたコンクリートの表面形状と、前記トンネル掘削面に吹付けられたコンクリートの表面形状と、前記支保工の後方の所定幅の領域に吹付けられたコンクリートの表面形状とを測量する、
請求項２に記載のトンネル施工管理方法。
【請求項４】
前記支保工に吹付けられたコンクリートの表面と、前記トンネル掘削面に吹付けられたコンクリートの表面と、前記支保工の後方の所定幅の領域に吹付けられたコンクリートの表面とをコンクリートで覆工する覆工工程を更に備え、
前記測量工程は、前記覆工工程により覆工されたコンクリートの表面形状を測量する、
請求項３に記載のトンネル施工管理方法。
【請求項５】
前記情報生成工程は、前記測量工程により得られた測量結果に基づいて、前記切羽鏡面の表面形状と、前記トンネル掘削面の表面形状と、前記支保工の後方の所定幅の領域の表面形状と、前記覆工されたコンクリートの表面形状との三次元形状の画像情報を生成する、
請求項４に記載のトンネル施工管理方法。
【請求項６】
前記情報生成工程により生成された情報を表示部に表示する表示工程を更に備え、
前記表示工程は、前記三次元形状の画像を基準に適合する度合いに応じて色別に階調表示する、
請求項５に記載のトンネル施工管理方法。
【発明の詳細な説明】
【技術分野】
【０００１】
本発明は、トンネルの施工時において、掘削したトンネルを測量しながら施工管理するトンネル施工管理方法に関する。
【背景技術】
【０００２】
トンネルを施工する場合、所定の掘削工程毎に測量を行い、掘削箇所が計画通りに施工されているか管理される。常に変位する地山を相手に施工するトンネル施工現場では、正確な測量により現場情報を出来るだけ早く収集して適切な対応をする施工管理することが重要である。
【０００３】
例えば、山岳部に施工される山岳トンネルの施工過程で、トータルステーション等の測量機器を用いて、トンネルの掘削箇所を三次元で自動測量・計測することが一般に行われている。この測量においては、施工箇所の位置出し測量、出来形測量、およびトンネル変位の自動計測などが行われる。測量は、例えば、計画された所定距離を１回掘進する毎に行われ、これによりトンネルの掘削の１サイクルの施工が終了する。本出願人は、トンネルの掘削箇所を三次元で自動測量・計測する装置および施工管理方法として例えば、特許文献１に記載されたものを既に提案している。
【先行技術文献】
【特許文献】
【０００４】
【特許文献１】特開２０１８−０４８５０９号公報
【発明の概要】
【発明が解決しようとする課題】
【０００５】
特許文献１に記載されたトンネルの施工管理方法においては、トンネル内の三次元的な計測方法が開示されているが、トンネルの施工管理において具体的にどのような工程に適用するのかはまだ提案されていなかった。そのため、出願人は、トンネルの施工過程においてトンネル内を三次元的に測量し、トンネル施工にフィードバックさせる具体的な施工管理方法の鋭意研究を重ねてきた。
【０００６】
本発明は、上述した課題に鑑みてなされたものであり、トンネル内の形状を、レーザースキャナーを用いて三次元的に測量してトンネルの出来形を評価し、評価結果を施工に反映することができるトンネル施工管理方法を提供することを目的とする。
【課題を解決するための手段】
【０００７】
上記の目的を達するために、本発明は、トンネルの対象箇所を所定長掘削する掘削工程と、前記掘削工程で掘削した掘削箇所に支保工を設置する設置工程と、前記掘削工程で掘削した掘削箇所および／または前記支保工にコンクリートを吹付ける補強工程と、前記掘削箇所および／または前記補強工程で施工された施工箇所の三次元形状を、三次元スキャナーを用いて測量する測量工程と、前記測量工程により得られた測量結果に基づいて前記掘削箇所および／または前記施工箇所の可視化された三次元情報を生成する情報生成工程と、前記情報生成工程により生成された前記三次元情報に基づいて、前記掘削箇所および／または前記施工箇所が設計値と比較して基準を満たすか否かを確認する確認工程と、前記確認工程において基準を満たさないことが確認された場合、前記掘削箇所および／または前記施工箇所を修正する修正工程と、を備える、トンネル施工管理方法である。
【０００８】
本発明によれば、施工箇所の三次元形状を、三次元スキャナーを用いて測量することで、設計値と測量値との誤差を所定の掘削進長ごとに確認することができ、施工箇所を修正するフィードバックを早期に実施することができる。
【０００９】
また、本発明に係るトンネル施工管理方法は、前記測量工程が前記掘削工程の後、形成された切羽鏡面と前記切羽鏡面に接して形成されたトンネル掘削面との表面形状とを測量するように構成されていてもよい。
【００１０】
本発明によれば、三次元スキャナーを用いて測量することで、新たに掘削された施工箇所の三次元形状の情報を取得することができる。
【００１１】
また、本発明に係るトンネル施工管理方法は、前記測量工程が前記補強工程の後、前記切羽鏡面に吹付けられたコンクリートの表面形状と、前記トンネル掘削面に吹付けられたコンクリートの表面形状と、前記支保工の後方の所定幅の領域に吹付けられたコンクリートの表面形状とを測量するように構成されていてもよい。
【００１２】
本発明によれば、三次元スキャナーを用いて測量することで、新たに施工されたコンクリートの吹付け面の三次元形状の情報を取得することができる。
【００１３】
また、本発明に係るトンネル施工管理方法は、前記支保工に吹付けられたコンクリートの表面と、前記トンネル掘削面に吹付けられたコンクリートの表面と、前記支保工の後方の所定幅の領域に吹付けられたコンクリートの表面とをコンクリートで覆工する覆工工程を更に備え、前記測量工程が前記覆工工程により覆工されたコンクリートの表面形状を測量するように構成されていてもよい。
【００１４】
本発明によれば、三次元スキャナーを用いて測量することで、施工箇所を覆工するコンクリートの覆工面の三次元形状の情報を取得することができる。
【００１５】
また、本発明に係るトンネル施工管理方法は、前記情報生成工程は、前記測量工程により得られた測量結果に基づいて、前記切羽鏡面の表面形状と、前記トンネル掘削面の表面形状と、前記支保工の後方の所定幅の領域の表面形状と、前記覆工されたコンクリートの表面形状との三次元形状の画像情報を生成するように構成されていてもよい。
【００１６】
本発明によれば、覆工面の出来形を三次元形状の画像を用いて確認することができる。
【００１７】
また、本発明に係るトンネル施工管理方法は、前記情報生成工程により生成された情報を表示部に表示する表示工程を更に備え、前記表示工程は、前記三次元形状の画像を基準に適合する度合いに応じて色別に階調表示するように構成されていてもよい。
【００１８】
本発明によれば、階調表示された画像を確認することで直感的に施工箇所の施工状態を確認することができる。
【発明の効果】
【００１９】
本発明によれば、トンネル内の形状を、レーザースキャナーを用いて三次元的に測量してトンネルの出来形を評価し、評価結果を施工に反映することができる。
【図面の簡単な説明】
【００２０】
【図１】トンネル施工管理方法において用いられる管理システムの構成を示す図である。
【図２】トンネル内の測量方法の概要を示す図である。
【図３】管理装置の構成を示すブロック図である。
【図４】トンネル施工管理方法において管理される各工程の内容を示す図である。
【図５】管理装置が生成するトンネル内の三次元画像の一例を示す図である。
【図６】測量工程の時期と測量内容の一例を示す図である。
【図７】トンネル掘削の各工程の流れの一例を示すフローチャートである。
【発明を実施するための形態】
【００２１】
以下、図面を参照しつつ、本発明に係るトンネル施工管理方法の実施形態について説明する。トンネル施工管理方法には、トンネル内の形状を三次元的に測量することができる管理システムが用いられる。先ず、管理システムについて説明する。
【００２２】
図１に示されるように、トンネル施工管理方法において用いられる管理システム１は、トンネル内の三次元形状を測量するレーザースキャナー１０（三次元スキャナー）と、レーザースキャナー１０の測量データに基づいてトンネルの施工を管理する管理装置２０とを備える。
【００２３】
レーザースキャナー１０は、例えば、レーザー光を照射して反射光の一部を受光するレーザーセンサー１１と、レーザーセンサー１１を回転自在に支持すると共に回転駆動する本体部１２とを備える。レーザーセンサー１１は、レーザー光の発光部（不図示）と、受光部（不図示）とを備える。レーザーセンサー１１は、例えば、上下方向や左右方向に回転しながら面的にレーザー光を対象物に照射して、対象物から反射した一部の反射光を受信した時間を計測し、点群データを生成する。
【００２４】
レーザーセンサー１１は、本体部１２によりｙ軸回り（チルト方向に）に回転自在に支持されていると共に、回転駆動される。これによりレーザーセンサー１１は、対象物に対して上下方向をスキャンすることができる。本体部１２は、三脚Ｓに載置されている。本体部１２は、自体を三脚Ｓに対してｚ軸回りに回転駆動する。これにより、レーザーセンサー１１は、ｚ軸回り（水平方向に）に回転自在に支持されていると共に、回転駆動される。
【００２５】
このよう、レーザースキャナー１０は、対象物の所定領域を三次元的にスキャンすることができ、所定領域における対象物の表面形状のデータを取得することができる。
【００２６】
図２に示されるように、レーザースキャナー１０は、例えば、掘削が終了した際にトンネルの掘削面や、切羽鏡面の表面を測量し、表面形状のデータを取得する。点群データを管理装置２０に出力する。レーザースキャナー１０は、例えば、掘削面にコンクリートが一次吹付けされた後にコンクリートの吹付け面を測量し、表面形状のデータを取得する。また、レーザースキャナー１０は、例えば、支保工が建て込まれコンクリートが支保工の表面を覆うように二次吹付けされた後にコンクリートの吹付け面の表面形状を測量し、表面形状のデータを取得する。
【００２７】
管理装置２０は、例えば、パーソナルコンピュータ（ＰＣ）、タブレット型端末装置、スマートフォン等の端末装置により実現される。管理装置２０は、有線または無線によりレーザーセンサー１１と通信可能に接続されている。
【００２８】
図３に示されるように、管理装置２０は、レーザーセンサー１１から取得したデータに基づいて対象物の三次元形状を演算する演算部２１と、演算部２１の演算結果に基づいて生成される各種の情報を表示する表示部２２と、各種データを記憶する記憶部２３とを備える。
【００２９】
演算部２１は、例えば、ＣＰＵ（Central Processing Unit）などのハードウェアプロセッサがプログラム（ソフトウェア）を実行することにより実現される。これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）などのハードウェア（回路部；circuitryを含む）によって実現されてもよいし、ソフトウェアとハードウェアの協働によって実現されてもよい。プログラムは、予めＨＤＤ（Hard Disk Drive）やフラッシュメモリなどの記憶装置に格納されていてもよいし、ＤＶＤやＣＤ−ＲＯＭなどの着脱可能な記憶媒体に格納されており、記憶媒体がドライブ装置に装着されることでインストールされてもよい。また、このコンピュータプログラムを通信回線によってコンピュータに配信し、この配信を受けたコンピュータが当該プログラムを実行するようにしても良い。
【００３０】
演算部２１は、レーザーセンサー１１が対象物に対して三次元スキャンした計測データを取得する。演算部２１は、取得したデータに基づいて、対象物の三次元形状の画像データを生成する。演算部２１による計測原理の詳細な説明は特許文献１に記載されている。演算部２１は、例えば、対象物の三次元形状の画像データや数値データを生成することの他に、記憶部２３に記憶された設計データと測定データとを比較した管理情報を生成する。演算部２１は、表示部２２を制御して生成した画像データ等の表示内容を表示させる。
【００３１】
表示部２２は、演算部２１により生成されたトンネル内の三次元形状の画像ＩＭや管理情報を表示する。表示部２２は、例えば、液晶ディスプレイ、有機ＥＬディスプレイ、ＬＥＤディスプレイ等の表示装置により実現される。
【００３２】
記憶部２３は、レーザーセンサー１１により測量された測量データ、演算部により生成された画像データ、トンネルの設計事項を含む設計データ等を記録する。記憶部２３は、ＨＤＤやフラッシュメモリ、ＲＡＭ（Random Access Memory）、ＲＯＭ（Read Only Memory）等の記憶装置である。
【００３３】
次に、トンネルの掘削を管理するトンネル施工管理方法について説明する。トンネル施工管理方法は、例えば、山岳トンネルの工事において適用される。山岳トンネルの施工では、地山を発破、機械または人力を用いて掘削した後、地山を支持するための支保工を構築して内部空間を保ちながら地山を掘り進めてトンネルを建設する。
【００３４】
この施工方法によれば、切羽を形成する掘削後から支保工の構築完了までの間は、切羽付近の地山が自立するという前提で施工が進められる。そのため、山岳トンネルの施工管理は、地山の崩落を防止するために掘削が行われた後の施工手順などを事前に十分に検討を行って設定する必要がある。
【００３５】
山岳トンネルの施工は、施工箇所に関する工事用の図面及び仕様書などのトンネル設計図書に従って施工される。実際の施工管理においては、トンネル設計図書に記載された設計事項に対して余裕を考慮して施工するようにトンネル施工管理が行われる。例えば、トンネルの掘削箇所は、設計上の覆工の巻厚を確保するために、トンネルの設計断面積より大きくなるように余掘りが行われる。
【００３６】
従って、トンネルの掘削箇所は、余掘りの幅を含めて正確に掘削されることが求められる。正確な施工がなされずにトンネルを掘削してトンネルの線形のずれや余掘り部の不足などが生じた場合、トンネルの表面を整えるための覆工を施工した後に、設計に対する出来形の不足が顕在化し、再施工を余儀なくされる可能性がある。また、トンネルの掘削面において過剰な余掘り部が生じた部分にトンネル支保構造が施工されると、トンネルの覆工面の形状が不連続な凹凸状の部分が生じて、トンネル支保構造およびトンネルの覆工の力学的安定性と長期的な耐久性に悪影響をおよぼす可能性がある。
【００３７】
このように不適切な施工を進めて再施工をする必要が生じた場合、材料や施工時間のロスが多く発生する可能性がある。このようなことから、トンネルの掘削のサイクルの施工過程においては、掘削切羽形状、鏡吹付け厚、トンネル掘削面の余掘り、吹付けコンクリート厚、支保工仕上がり面などの出来形を正確に測定して数値で確認すると共に、測定結果を設計事項と対比して出来形が設計通りであるか否かを評価してトンネル施工にフィードバックさせるという施工管理が求められる。
【００３８】
例えばこのようなフィードバックをトンネルの掘削の工程において、所定の距離を掘削する一つの施工単位のサイクル毎に行えば、早い段階で施工箇所を修正することができる。山岳部に施工される山岳トンネルの施工においては、掘削する地山性状に応じて、一掘進の進長が例えば、１．０、１．２、１．５、２．０［ｍ］などの所定距離で定められた施工単位で管理されている。
【００３９】
山岳トンネルの施工には、例えば、掘削に爆薬を用いた爆破（発破）による掘削方式が用いられる。爆破による掘削方式では、例えば、以下の複数の工程が一進長の掘削の１サイクルとして施工管理される。
【００４０】
トンネル掘削方向における先端の掘削面における発破パターンを計画する。次に、計画に従って掘削面に火薬を挿入するための複数の孔を穿孔する。次に、穿孔した孔に火薬を装薬し、起爆用の配線（配管）を行う。次に火薬を爆破することにより一掘進長分の掘削を行い、爆破によって形成された掘削面を整形する。このとき、爆破で破砕された岩を施工現場に応じてホイルローダー、ダンプトラック、ベルトコンベアー、トロッコ等を用いてトンネルの外部に運搬する。
【００４１】
掘削箇所の形状を三次元的に測量し、掘削面に支保工を施工するための位置出しを行う。次に、成形した掘削面に対して岩石等が落下する肌落ちを防止するためのコンクリートの一次吹付けを行う。次に、トンネルに生じる地圧の荷重を支えて崩落を防止するためのアーチ形状の鋼鉄製の枠体からなる支保工を施工する。支保工の施工後は、一次吹付けコンクリート面及び支保工を覆うように例えば１０［ｃｍ］〜２５［ｃｍ］程度の厚さのコンクリートの二次吹付けを行い、トンネル支保構造を形成する。
【００４２】
次に、トンネルの断面方向から見て壁面から地山に対して放射状に、３［ｍ］〜４［ｍ］程度の鋼棒製のロックボルトを複数個所に打ち込み、地山の不連続面を縫い付ける。そして、トンネル出来形を確認し、掘削の１サイクルの工程が終了する。このような掘削の１サイクルの工程を繰り返すことにより、トンネル掘削面に支保工が所定の間隔で施工される。
【００４３】
上記の掘削の１サイクルの工程が所定回数行われて所定数の支保工が施工された後、覆工コンクリートを施工する。この覆工の施工は、トンネル変位の収束を確認してから行われ、吹付けコンクリート表面に防水シートを張り付け、トンネル内への漏水を防止する。そして、鉄筋構造区間では、トンネルの壁面に沿って覆工を補強するための鉄筋が組まれる。次に、吹付けコンクリートの壁面が形成されたトンネルの断面よりやや小さい断面積の半円筒形の移動型枠（セントル）を用いてトンネルの壁面と鉄筋とをコンクリートで覆工して覆工面を形成する。
【００４４】
次に、レーザースキャナー１０を用いたトンネルの施工箇所の測量工程と、管理装置２０により測量結果を用いて施工箇所の三次元情報を生成する工程について説明する。
【００４５】
図４は、トンネルの施工の各工程において測量のタイミングが設定されたトンネル施工工程の一例を示す図である。図示するようにトンネル施工工程は、上述した一掘進の施工単位のサイクルを施工する過程において、レーザースキャナー１０によるデジタル測量を実施して、トンネル掘削箇所の出来形を可視化すると共に、測定された数値で確認し、掘削箇所の施工状態を評価して、合理的にトンネル施工管理をするものである。レーザースキャナー１０を用いると、トンネルの掘削面の三次元の形状を短時間でデジタル測量することができる。
【００４６】
トンネル掘削の１サイクルの各工程の中では、レーザースキャナー１０による測量のタイミングは、コンクリートの吹付け工程の前後で計２回行われる。
【００４７】
図５に示されるように、管理装置２０は、測量により得られた測量結果に基づいて、トンネルＴ内の三次元形状の画像ＩＭを生成する。トンネルＴの掘削方向の先端には、掘削施工により半円形の切羽鏡面Ｔ１が形成されている。切羽とは、山岳トンネル工事現場におけるトンネルの掘削の最先端の場所において地山が露出している領域全体をいう。切羽鏡面Ｔ１は、切羽において、掘削の進行方向に対して略垂直に形成された面である。
【００４８】
切羽鏡面Ｔ１には、後述のように肌落ちを防止するためにコンクリートが吹付けられる。切羽鏡面Ｔ１に接してアーチ状のトンネル掘削面Ｔ２が形成されている。トンネル掘削面Ｔ２には、コンクリートが吹付けられる。トンネル掘削面Ｔ２の壁面には、アーチ状に形成された鋼鉄製の支保工５０が設けられる。支保工５０の後方の所定幅の領域には、コンクリートが吹付けられて、一間後方吹付け面Ｔ３が形成される。
【００４９】
掘削によって形成される切羽の位置は、掘削後に設計値との比較による評価対象となる。例えば、施工済みの支保工５０の先端位置から前後に最大２．０〜６．０［ｍ］の領域は評価対象となる。トンネル施工管理方法では、トンネルを掘削する１サイクルにおいて、掘削が行われた直後の切羽鏡面Ｔ１、トンネル掘削面Ｔ２、およびコンクリートに二次吹付けが行われた後の支保工５０の表面がレーザースキャナー１０で測定される。
【００５０】
図６は、レーザースキャナー１０による測量に基づいて評価される評価対象の一例を示す図である。次に、トンネルＴの掘削工程の後とコンクリートの二次吹き工程の後とに実施される測量工程について説明する。先ず、トンネルＴの掘削工程の後において実施される測量工程とその後の処理について説明する。トンネルＴの掘削工程の後には、例えば、切羽鏡面Ｔ１と、トンネル掘削面Ｔ２の測量が実施される。
【００５１】
演算部２１は、トンネルの掘削工程が施工された後の測量結果に基づいて、例えば、切羽鏡面Ｔ１の三次元形状の画像及び数値データを表示部２２に表示させる。管理者は、管理装置２０の表示部２２に表示された画像及び数値を確認し、合理的な切羽形状であるか否か、切羽を掘削する際に施工された掘削補助工が適切であるか否か等のトンネルの掘削工程が施工された後の状態を確認することができる。
【００５２】
演算部２１は、また、切羽鏡面Ｔ１の形状の画像及び測量データと設計データとを比較し、切羽鏡面の目標形状と、切削により形成された切羽鏡面Ｔ１の表面形状との差を演算し、例えば、切羽鏡面Ｔ１の三次元画像に目標形状を重畳した画像や差分の数値データを表示部２２に表示させる。この時、演算部２１は、測量データと設計データとを比較して、基準以上の誤差が生じていると判定した場合、表示部２２にその旨を表示させてもよい。
【００５３】
管理者は、表示部２２に表示された画像及び数値等の情報を確認し、合理的な切羽形状であるか否か、切羽を掘削する際に施工された掘削補助工が適切であるか否か等のトンネルの掘削工程が施工された後の状態を確認することができ、施工箇所に基準に対して許容範囲を超える施工不良が生じている場合、施工箇所の修正を行うことができる。例えば、切羽形状が設計値と異なる場合、設計値に合わせて切羽鏡面Ｔ１の周囲を掘削して形状を整えるように修正する施工が行われる。
【００５４】
また、演算部２１は、トンネルＴの掘削工程が施工された後の測量結果に基づいて、例えば、トンネル掘削面Ｔ２の三次元形状の画像及び数値データを表示部２２に表示させる。管理者は、管理装置２０の表示部２２に表示された画像及び数値を確認し、トンネル掘削面Ｔ２の形状が適切であるか否か、余掘り量が適切であるか否か、発破による掘削のパターンが適切か否か等、トンネルＴの掘削工程が施工された後の状態を確認することができる。
【００５５】
管理者は、上記と同様に、施工箇所に基準を満たさない施工不良が生じている旨の情報が表示部２２に表示された場合、施工箇所の修正を行うことができる。例えば、トンネル掘削面Ｔ２の余掘り量が少ない場合やトンネルの中心線のずれが生じた場合、設計許容範囲を満たすように、トンネル掘削面Ｔ２を更に掘削する等の修正する施工が行われる。この時点でこのような施工管理を行えば、早い段階でトンネルの線形のずれを修正できることに加え、後述する覆工コンクリートを打設した際の設計巻厚を確保することができる。
【００５６】
次に、コンクリートの二次吹き工程の後において実施される測量工程とその後の確認項目について説明する。コンクリートの二次吹き工程の後には、例えば、鏡吹付け面、二次吹付け面、および一間後方吹付け面Ｔ３のコンクリートの厚さや範囲の測量が実施される。
【００５７】
先ず、鏡吹付け面の測量工程について説明する。鏡吹付け面は、切羽鏡面Ｔ１にコンクリートが吹付けられて形成された壁面である。鏡吹付けは、例えば、切羽鏡面Ｔ１に対し吹付け用のコンクリートを吹き付けることである。掘削により露出した地山からなる切羽鏡面Ｔ１を早期に吹付けコンクリートで覆うことにより、トンネル横断方向だけでなく、縦断方向の緩みも抑えることができる。
【００５８】
演算部２１は、コンクリートの二次吹き工程の後の測量結果に基づいて、例えば、鏡吹付け面の三次元形状の画像及び数値情報を生成し、表示部２２に表示させる。管理者は、管理装置２０の表示部２２に表示された画像及び数値を確認し、鏡吹付け面のコンクリートの吹付け厚と範囲が適切であるか否か等のコンクリートの二次吹き工程が施工された後の状態を確認することができる。
【００５９】
演算部２１は、例えば、上記の切羽鏡面Ｔ１の測量工程で生成した切羽鏡面Ｔ１の情報（例えば、三次元座標）と鏡吹付け面の情報（例えば、三次元座標）とを比較して切羽鏡面Ｔ１の表面形状と鏡吹付け面の表面形状との差分に基づいて、鏡吹付け厚を算出する。
【００６０】
演算部２１は、例えば、切羽鏡面Ｔ１の画像に鏡吹付け厚の画像を重畳して切羽鏡面Ｔ１における鏡吹付けの範囲と吹付け厚の分布を表示部２２に表示させる。この時、演算部２１は、鏡吹付け厚を厚さに応じて２階調に色分けして表示部２２に表示させる。演算部２１は、例えば、演算結果に基づいて、鏡吹付け面の三次元画像に目標形状を重畳した画像や差分の数値を表示部２２に表示させてもよい。
【００６１】
鏡吹付けの施工に当たっては、地山の状態に応じて、適切な吹付け厚さを確保する必要があるので、管理者は、表示部２２に表示された画像及び数値を確認し、設計通りの鏡吹付け面が形成されているか否か等、コンクリートの二次吹き工程が施工された後の状態を確認することができる。
【００６２】
管理者は、上記と同様に、施工箇所に基準に対して許容範囲を超える施工不良が生じている旨の情報が表示部２２に表示された場合、直ちに施工箇所の修正を行うことができる。例えば、設計値と比較して、鏡吹付け面のコンクリートの吹付け厚さに不足が生じている領域が確認された場合、対象範囲に対してコンクリートを増吹きして設計値に合わせるように修正する施工が行われる。
【００６３】
次に二次吹付け面の測量工程について説明する。二次吹付け面は、トンネル掘削面Ｔ２と支保工５０とにコンクリートが吹付けられて形成された壁面である。
【００６４】
演算部２１は、コンクリートの二次吹き工程の後の測量結果に基づいて、例えば、二次吹付け面の三次元形状の画像及び数値データを表示部２２に表示させる。演算部２１は、この時、上記のトンネル掘削面Ｔ２の測量工程で生成したトンネル掘削面Ｔ２の情報（例えば、三次元座標）と二次吹付け面の情報（例えば、三次元座標）とを比較してトンネル掘削面Ｔ２の表面形状と二次吹付け面の表面形状との差分に基づいて、コンクリートの吹付け厚を算出する。
【００６５】
演算部２１は、上記の算出に加えて、トンネル掘削面Ｔ２の表面形状と二次吹付け面の表面形状との差分に基づいて、余掘り吹付け範囲と余掘り吹付け厚を算出する。
【００６６】
演算部２１は、例えば、トンネル掘削面Ｔ２の画像に二次吹付け面の画像を重畳してトンネル掘削面Ｔ２における吹付け厚の分布を表示部２２に表示させる。この時、演算部２１は、二次吹付け面の画像を吹付け厚の厚さに応じて３階調に色分けして表示部２２に表示させる。また、演算部２１は、例えば、二次吹付け面の画像において余掘り吹付け範囲と余掘り吹付け厚の情報を厚さに応じて３階調に色分けした画像を重畳して表示部２２に表示させてもよい。
【００６７】
演算部２１は、例えば、演算結果に基づいて、二次吹付け面の三次元画像に目標形状を重畳した画像や差分の数値を表示部２２に表示させてもよい。管理者は、表示部２２に表示された画像及び数値を確認し、施工目標に対して余裕がある二次吹付け面が形成されているか否か等、コンクリートの二次吹き工程が施工された後の状態を確認することができる。
【００６８】
管理者は、表示部２２に表示された二次吹付け面の三次元形状の画像の情報を見て施工状態を直感的に確認することができる。管理者は、例えば、二次吹付け面のコンクリートの吹付け厚と範囲が適切であるか否か等のコンクリートの二次吹き工程が施工された後の状態を表示部２２に表示された情報により確認することができる。
【００６９】
管理者は、上記と同様に、施工箇所に基準に対して許容範囲を超える施工不良が生じている旨の情報が表示部２２に表示された場合、直ちに施工箇所の修正を行うことができる。例えば、施工目標値と比較して、吹付け厚に不足が生じている領域が確認された場合、対象範囲に対してコンクリートを増吹きして設計値に合わせるように修正する施工が行われる。
【００７０】
次に、一間後方吹付け面Ｔ３の測量工程について説明する。一間後方吹付け面Ｔ３は、支保工５０の後方一間程度の幅の吹付けコンクリート壁面である。演算部２１は、コンクリートの二次吹き工程の後の測量結果に基づいて、例えば、一間後方吹付け面Ｔ３の三次元形状の画像及び数値データを表示部２２に表示させる。
【００７１】
演算部２１は、例えば、演算結果に基づいて、一間後方吹付け面Ｔ３の三次元画像に目標形状を重畳した画像や差分の数値を表示部２２に表示させてもよい。管理者は、表示部２２に表示された画像及び数値を確認し、施工目標に対して余裕がある一間後方吹付け面Ｔ３が形成されているか否か等、コンクリートの二次吹き工程が施工された後の状態を確認することができる。
【００７２】
管理者は、表示部２２に表示された一間後方吹付け面Ｔ３の三次元形状の画像の情報を見て施工状態を直感的に確認することができる。管理者は、二次吹き工程が施工された後のトンネル出来形状態を表示部２２に表示された情報により確認することができる。
【００７３】
管理者は、上記と同様に、施工箇所に基準に対して許容範囲を超える施工不良が生じている旨の情報が表示部２２に表示された場合、直ちに施工箇所の修正を行うことができる。例えば、施工目標値と比較して、一間後方吹付け厚に不足が生じている領域が確認された場合、対象範囲に対してコンクリートを増吹きして設計値に合わせるように修正する施工が行われる。
【００７４】
次に、コンクリートで覆工された覆工面の測量工程について説明する。上記のトンネル掘削の１サイクルの各工程の中で行われる測量に加えて、掘削のサイクルが複数回行われ、この覆工施工区間のトンネル変位が収束した後に、吹付けコンクリート表面と覆工施工後のコンクリート覆工面（内空表面形状）の三次元形状の測量が行われる。
【００７５】
演算部２１は、覆工コンクリートの覆工面の表面形状の測量結果に基づいて、覆工面の三次元形状の画像を生成し、生成した画像及び数値データを表示部２２に表示させる。演算部２１は、この時、防水シートを張る工程より以前の工程で形成された二次吹付け面の表面形状の情報と、覆工面の表面形状の情報（例えば、三次元座標）とを比較して、二次吹付け面の表面形状と覆工面の表面形状との差分に基づいて、覆工コンクリートの巻厚を算出する。
【００７６】
演算部２１は、また、トンネルの内空の設計値と覆工面の表面形状の情報とを比較して、トンネルの内空の設計値に対する覆工面の余裕を算出する。
【００７７】
演算部２１は、覆工面の画像を巻厚の厚さに応じて３階調に色分けして表示部２２に表示させる。また、演算部２１は、例えば、覆工面の画像において巻厚の情報を厚さに応じて３階調に色分けした画像を重畳して表示部２２に表示させてもよい。
【００７８】
管理者は、表示部２２に表示された画像及び数値を確認し、施工目標に対して余裕がある覆工面が形成されているか否か等、覆工工程が施工された後の検測を行うことができる。
【００７９】
仮に覆工面において設計値に対する巻厚の不足や位置のずれが発見された場合、管理者は、覆工の施工をやり直しする。しかしながら、上述したように、トンネル施工管理方法により、一つの掘削のサイクル毎または１日１回の三次元測量が行われて適宜修正が行われているため、覆工面の施工をやり直しする必要がなくなる。
【００８０】
次に、トンネル施工管理方法により管理されるトンネル掘削の各工程の流れを説明する。図７は、トンネル施工管理方法により管理されるトンネル掘削の各工程の流れの一例を示すフローチャートである。
【００８１】
管理者は、作業者にトンネルを一進長の距離で掘削させる（ステップＳ１００）。管理者は、作業者にレーザースキャナー１０を用いて掘削箇所を三次元測量させる（ステップＳ１０２）。管理者は、管理装置２０を用いて測量で得られたデータに基づいて、掘削箇所の三次元画像および数値を生成し掘削箇所を可視化する（ステップＳ１０４）。
【００８２】
管理者は、管理装置２０に表示された三次元画像及び数値に基づいて、設計値と測量値とを比較する（ステップＳ１０６）。管理者は、管理装置２０に表示された比較結果の情報に基づいて、施工箇所の出来形が基準を満たすか否かを確認する（ステップＳ１０８）。ステップＳ１０８で施工箇所の出来形が基準を満たさないことを確認した場合、管理者は、施工箇所が基準を満たすように修正する施工を作業者に行わせる（ステップＳ１１０）。
【００８３】
ステップＳ１０８で施工箇所の出来形が基準を満たすことを確認した場合、管理者は、作業者に掘削箇所にコンクリートを吹き付けさせ、一次吹付け面を形成させる（ステップＳ１１２）。管理者は、作業者に一次吹付け面において支保工を設置させる（ステップＳ１１４）。管理者は、作業者に一次吹付け面と支保工を覆うコンクリート吹付けによる二次吹付け面等を形成させる（ステップＳ１１６）。
【００８４】
管理者は、作業者にレーザースキャナー１０を用いて二次コンクリート吹付けの施工箇所を三次元測量させる（ステップＳ１１８）。管理者は、管理装置２０を用いて測量で得られたデータに基づいて、二次コンクリート吹付けの施工箇所の三次元画像および数値を生成し二次コンクリート吹付けの施工箇所を可視化する（ステップＳ１２０）。管理者は、管理装置２０に表示された三次元画像及び数値に基づいて、設計値と測量値とを比較する（ステップＳ１２２）。
【００８５】
管理者は、管理装置２０に表示された比較結果の情報に基づいて、施工箇所の出来形が基準を満たすか否かを確認する（ステップＳ１２４）。ステップＳ１０８で施工箇所の出来形が基準を満たさないことを確認した場合、管理者は、施工箇所が基準を満たすように修正する施工を作業者に行わせる（ステップＳ１２６）。ステップＳ１０８で施工箇所の出来形が基準を満たすことを確認した場合、管理者は、掘削のサイクルが所定回数行われたか否かを確認する（ステップＳ１２８）。
【００８６】
掘削のサイクルが所定回数未満の場合、管理者は、ステップＳ１００に戻り、掘削のサイクルを再開する。掘削のサイクルが所定回数に達した場合、管理者は三次元測量により覆工区間のトンネル変位が収束したか否かを確認する（ステップＳ１３０）。トンネル変位が収束していない場合、変位速度が基準値以下となるまで所定の測定頻度で監視を繰り返す。トンネル変位が収束している場合、管理者は、作業者にレーザースキャナー１０を用いて覆工施工区間に対して吹付けコンクリート表面を三次元測量させる（ステップＳ１３２）。
【００８７】
その後、管理者は、施工者に吹付けコンクリート表面に防水シートを張り付けさせ、トンネル内への漏水を防止する。また、管理者は、鉄筋が必要な区間では、施工者に鉄筋を組ませる（ステップＳ１３４）。管理者は、施工者に二次コンクリート吹付けの施工箇所にセントルを用いて覆工コンクリートを打設させ、覆工面を形成させる（ステップＳ１３６）。管理者は、作業者にレーザースキャナー１０を用いて覆工面を三次元測量させる（ステップＳ１３８）。
【００８８】
管理者は、管理装置２０を用いて測量で得られたデータに基づいて、覆工面の三次元画像および数値を生成し覆工面を可視化する（ステップＳ１４０）。管理装置２０に表示された三次元画像及び数値に基づいて、覆工面の設計値と測量値とを比較して検測する（ステップＳ１４２）。
【００８９】
上述したように、トンネル施工管理方法によれば、レーザースキャナーを用いた三次元測量を行うことにより、トンネル内の形状を三次元的に測量してトンネルの出来形を評価し、評価結果を施工に反映することができる。また、トンネル施工管理方法によれば、施工者がリアルタイムでトンネルの出来形を確認すると共に、事業者がトンネルの出来形を検測することができる。更に、トンネル施工管理方法によれば、トンネルの一掘進毎の施工箇所の三次元測量の測量結果に基づいて、設計や施工目標に対する出来形を三次元形状の画像により可視化すると共に、数値化することができ、計画に対する余裕をリアルタイムに確認、照査でき、トンネルの合理的な施工を確実にすることができる。
【００９０】
以上、本発明に係るトンネル施工管理方法の一実施形態について説明したが、本発明は上記の一実施形態に限定されるものではなく、その趣旨を逸脱しない範囲で適宜変更可能である。例えば、上述した実施形態では、トンネルの施工部分の測量にレーザースキャナーを用いたがこれに限らず、測定対象物の三次元形状が測定できればどのようなものを用いてもよい。また、管理装置２０に表示される三次元画像に重畳される色分けされた画像は、３階調、５階調だけでなくより多くあるいはより少ない階調で表示されてもよい。
【符号の説明】
【００９１】
１…管理システム、１０…レーザースキャナー、１１…レーザーセンサー、１２…本体部、２０…管理装置、２１…演算部、２２…表示部、２３…記憶部、５０…支保工、ＩＭ…画像、Ｓ…三脚、Ｔ…トンネル、Ｔ１…切羽鏡面、Ｔ２…トンネル掘削面、Ｔ３…一間後方吹付け面
【図１】
2020133118.tif 000003
【図２】
2020133118.tif 000004
【図３】
2020133118.tif 000005
【図４】
2020133118.tif 000006
【図５】
2020133118.tif 000007
【図６】
2020133118.tif 000008
【図７】
2020133118.tif 000009